(57)【要約】【課題】動画撮像中に静止画撮像を行う場合でも、動画、静止画ともに適正な合焦精度で撮像を行うことができる撮像装置及び制御方法を提供する。【解決手段】レンズを介して形成される被写体の光学像を光電変換して画像信号を撮像する撮像手段と、前記画像信号に基づいて、前記レンズの合焦状態を検出する検出手段と、前記検出手段により検出された前記合焦状態に基づいて前記レンズの合焦位置を周期的に記憶する記憶手段と、前記撮像手段により前記被写体の動画を撮像する場合には合焦のずれ度が予め決められた範囲内となるように前記レンズを動かすウォブリング動作をしながら画像信号を得るように制御し、前記被写体の動画撮像中に前記被写体の静止画を撮像する場合には前記記憶手段に記憶された前記レンズの位置において前記撮像手段により静止画を得るように制御する制御手段と、を有することを特徴とする撮像装置を提供する。【選択図】図２
2008268745.tif 000002
【特許請求の範囲】
【請求項１】
レンズを介して形成される被写体の光学像を光電変換して画像信号を撮像する撮像手段と、
前記画像信号に基づいて、前記レンズの合焦状態を検出する検出手段と、
前記検出手段により検出された前記合焦状態に基づいて前記レンズの合焦位置を周期的に記憶する記憶手段と、
前記撮像手段により前記被写体の動画を撮像する場合には合焦のずれ度が予め決められた範囲内となるように前記レンズを動かすウォブリング動作をしながら画像信号を得るように制御し、前記被写体の動画撮像中に前記被写体の静止画を撮像する場合には前記記憶手段に記憶された前記レンズの位置において前記撮像手段により静止画を得るように制御する制御手段と、
を有することを特徴とする撮像装置。
【請求項２】
前記制御手段は、前記動画撮像中に前記静止画を撮像する場合、前記ウォブリング動作を維持すると共に、直前の前記ウォブリング動作によって前記記憶手段に記憶された前記レンズの位置に前記レンズを移動させるように制御することを特徴とする請求項１記載の撮像装置。
【請求項３】
前記制御手段は、前記動画撮像中に前記静止画を撮像する場合、前記ウォブリング動作を中止すると共に、前記記憶手段に記憶された前記レンズの位置に前記レンズを移動させるように制御することを特徴とする請求項１記載の撮像装置。
【請求項４】
前記制御手段は、前記記憶手段に記憶された前記レンズの位置に前記レンズを移動させる間の前記ウォブリング動作中に前記検出された合焦状態に基づくレンズの合焦位置がある場合には、当該レンズの位置で前記レンズの移動を停止するように制御する請求項２記載の撮像装置。
【請求項５】
前記制御手段は、前記静止画を撮像する場合、前記レンズの被写界深度が閾値以上である場合には、前記記憶手段に記憶されたレンズ位置に基づく前記レンズの制御を行わず、前記ウォブリング動作を停止させレンズ位置で前記静止画の撮像を行うことを特徴とする請求項１乃至４のうちいずれか１項に記載の撮像装置。
【請求項６】
前記制御手段は、前記被写体の動画撮像の際は画像信号を加算して出力し、前記被写体の静止画撮像の際は画像信号を非加算で出力することを特徴とする請求項１記載の撮像装置。
【請求項７】
前記制御手段は、前記被写体の動画撮像の際は画像信号を間引いて出力し、前記被写体の静止画撮像の際には画像信号を間引かずに出力することを特徴とする請求項１記載の撮像装置。
【請求項８】
レンズを介して形成される被写体の光学像を画像信号に変換する撮像手段を有する撮像装置の制御方法であって、
前記画像信号に基づいて、前記レンズの合焦状態を検出する検出ステップと、
前記検出された合焦状態に基づいて前記レンズの合焦位置を周期的に記憶する記憶ステップと、
前記撮像手段により前記被写体の動画を撮像する場合には合焦のずれ度が予め決められた範囲内となるように前記レンズを動かすウォブリング動作をしながら画像信号を得るように制御し、前記被写体の動画撮像中に前記被写体の静止画を撮像する場合には前記記憶ステップにて記憶された前記レンズの位置において前記撮像手段により静止画を得るように制御する制御ステップと、
を有することを特徴とする制御方法。
【発明の詳細な説明】
【技術分野】
【０００１】
本発明は、撮像装置及び制御方法に関し、例えば、動画や静止画を撮像する撮像装置及び制御方法に関する。
【背景技術】
【０００２】
デジタルビデオカメラやデジタルカメラなどの撮像装置においては、近年の高画素化に伴い、動画と静止画を同時に記録し、高精細な静止画を撮像できるようになってきている。かかる撮像装置は、動画の撮像時には、ＴＶフォーマットにあわせた加算読み出しや間引き読み出しによって少ない画素数で動画を記録し、静止画の撮像時には、非加算読み出しや全画素読み出しによって動画の画素数よりも多い画素数で静止画を記録する。
【０００３】
撮像装置は動画撮像やプレビュー撮像時には、ＡＦ評価値が最大となるレンズ位置から僅かに前後にフォーカシングレンズを動かして被写体付近に常にフォーカスを合わせる（最適なフォーカスを得る）ように制御するウォブリング動作を行っている。
【０００４】
図８は、従来の撮像装置におけるウォブリング動作を説明するための図であって、レンズ位置とＡＦ評価値との関係及び動画フレーム画像の撮像タイミングを示している。図８を参照するに、ウォブリング動作においては、フォーカスのずれが撮像した動画像から判別できない程度の範囲内でレンズを動かしているため、ユーザがフォーカスのずれを認識することは殆どない。このような技術は、特許文献１に開示されている。
【０００５】
また、従来の撮像装置は、静止画の撮像時には、図９に示すように、静止画の撮像指示が入力されると、焦点距離全域（レンズの駆動範囲全域）でレンズを走査してＡＦ評価値が最大となるレンズ位置を検出し、かかるレンズ位置において静止画を撮像する。図９は、従来の撮像装置における静止画の撮像を説明するための図であって、レンズ位置とＡＦ評価値との関係及び静止画の撮像タイミングを示している。
【特許文献１】特開平９−２８４６３２号公報
【発明の開示】
【発明が解決しようとする課題】
【０００６】
しかしながら、従来の撮像装置は、静止画の撮像時において焦点距離全域でレンズを走査するため、走査中に被写体がぼける期間が生じる。従って、撮像装置が静止画と同時に動画を記録している場合には、ぼけた画像が記録される期間が生じてしまう。
【０００７】
なお、動画の記録中（例えば、ウォブリング動作中）に静止画を撮像する場合には、図１０に示すように、焦点距離全域でレンズを走査することなく、静止画の撮像が指示されたタイミングで静止画を撮像することが考えられる。この場合、ぼけた動画の記録は回避できるが、合焦精度が静止画の撮像には不十分な場合がある。これは、静止画は、動画よりも高精細に記録することが要求されることによる。つまり、静止画の撮像時におけるフォーカス適正範囲が、図１０に示すように、動画の撮像時におけるフォーカス適正範囲よりも狭いからである。従って、静止画の撮像タイミングが悪いと、動画として鑑賞する画像としては十分な合焦精度であるが、静止画として鑑賞する画像としては不十分な合焦精度で静止画が撮像されてしまう。ここで、図１０は、ウォブリング動作中における静止画の撮像の一例を説明するための図であって、レンズ位置とＡＦ評価値との関係、及び、動画フレーム画像及び静止画の撮像タイミングを示している。
【０００８】
そこで、本発明は、動画撮像中に静止画撮像を行う場合でも、動画、静止画ともに適正な合焦精度で撮像を行うことができる撮像装置及び制御方法を提供することを例示的目的とする。
【課題を解決するための手段】
【０００９】
上記目的を達成するために、本発明の一側面としての撮像装置は、レンズを介して形成される被写体の光学像を光電変換して画像信号を撮像する撮像手段と、前記画像信号に基づいて、前記レンズの合焦状態を検出する検出手段と、前記検出手段により検出された前記合焦状態に基づいて前記レンズの合焦位置を周期的に記憶する記憶手段と、前記撮像手段により前記被写体の動画を撮像する場合には合焦のずれ度が予め決められた範囲内となるように前記レンズを動かすウォブリング動作をしながら画像信号を得るように制御し、前記被写体の動画撮像中に前記被写体の静止画を撮像する場合には前記記憶手段に記憶された前記レンズの位置において前記撮像手段により静止画を得るように制御する制御手段と、を有することを特徴とする。
【００１０】
本発明の別の側面としての制御方法は、レンズを介して形成される被写体の光学像を画像信号に変換する撮像手段を有する撮像装置の制御方法であって、前記画像信号に基づいて、前記レンズの合焦状態を検出する検出ステップと、前記検出された合焦状態に基づいて前記レンズの合焦位置を周期的に記憶する記憶ステップと、前記撮像手段により前記被写体の動画を撮像する場合には合焦のずれ度が予め決められた範囲内となるように前記レンズを動かすウォブリング動作をしながら画像信号を得るように制御し、前記被写体の動画撮像中に前記被写体の静止画を撮像する場合には前記記憶ステップにて記憶された前記レンズの位置において前記撮像手段により静止画を得るように制御する制御ステップと、を有することを特徴とする。
【００１１】
本発明の更なる目的又はその他の特徴は、以下、添付図面を参照して説明される好ましい実施例によって明らかにされるであろう。
【発明の効果】
【００１２】
本発明によれば、動画撮像中に静止画撮像を行う場合でも、動画、静止画ともに適正な合焦精度で撮像を行うことができる。
【発明を実施するための最良の形態】
【００１３】
以下、添付図面を参照して、本発明の好適な実施の形態について説明する。なお、各図において、同一の部材については同一の参照番号を付し、重複する説明は省略する。
【００１４】
図１は、本発明の一側面としての撮像装置１の構成を示す概略ブロック図である。撮像装置１は、被写体の動画と静止画を同時に撮像することのできる撮像装置であって、本実施例では、デジタルビデオカメラとして具現化される。撮像装置１は、図１に示すように、レンズ１０と、アイリス１５と、レンズ・アイリス駆動回路２０と、撮像素子２５と、ＣＤＳ・ＡＧＣ・Ａ／Ｄ回路３０と、タイミング発生器（ＴＧ）３５と、信号処理回路４０と、システムコントローラ５０とを有する。また、撮像装置１は、画像入出力コントローラ６０と、記録媒体６５と、パネル・ビデオ出力回路７０と、スイッチ７５とを有する。
【００１５】
レンズ１０は、被写体からの光を撮像素子２５上に結像する（即ち、撮像素子２５上に光学像を形成する）と共に、フォーカス（焦点）を調整するためのレンズである。換言すれば、レンズ１０は、焦点制御機能を有する。アイリス１５は、入射光の光量を制限する。レンズ・アイリス駆動回路２０は、レンズ１０及びアイリス１５を駆動する。
【００１６】
撮像素子２５は、例えば、ＣＣＤやＣＭＯＳセンサなどで構成される。撮像素子２５は、レンズ１０を介して形成される光学像を電気信号である画像信号に変換（光電変換）する。
【００１７】
ＣＤＳ・ＡＧＣ・Ａ／Ｄ回路３０は、撮像素子２５からの画像信号に対して、相関二重サンプリング（ＣＤＳ）、ゲインコントロール（ＡＧＣ）、Ａ／Ｄ変換を行う。
【００１８】
ＴＧ３５は、撮像素子２５及びＣＤＳ・ＡＧＣ・Ａ／Ｄ回路３０に対して、水平・垂直転送パルス、シャッターパルス、サンプルホールド信号、水平・垂直同期信号などを供給する。
【００１９】
信号処理回路４０は、ＣＤＳ・ＡＧＣ・Ａ／Ｄ回路３０からの画像信号に対して、リサイズ処理、アパーチャ処理、ＷＢ処理、色信号処理などを行い、被写体の静止画及び動画を生成する。また、信号処理回路４０は、後述するように、ＣＤＳ・ＡＧＣ・Ａ／Ｄ回路３０からの画像信号に基づいて、レンズ１０の合焦状態に対応するＡＦ評価値を生成する機能も有する。つまり、信号処理回路４０により合焦状態の検出を行うことができ、これを基にして合焦位置を求めることが可能となる。
【００２０】
システムコントローラ５０は、撮像装置１の全体（例えば、レンズ・アイリス駆動回路２０、ＴＧ３５、信号処理回路４０、画像入出力コントローラ６０など）を制御する。システムコントローラ５０は、レンズ・アイリス駆動回路２０や信号処理回路４０に対して、ＡＦ評価値に基づいたレンズ１０のフォーカス制御や撮像タイミングの制御を行う。
【００２１】
画像入出力コントローラ６０は、記録媒体６５を制御して、被写体の動画や静止画の入出力を行う。記録媒体６５は、例えば、磁気テープ、光ディスク、メモリカードなどで構成され、本実施例では、被写体の動画を記録するための動画用記録媒体６５ａと、被写体の静止画を記録するための静止画用記録媒体６５ｂとを含む。
【００２２】
パネル・ビデオ出力回路７０は、画像入出力コントローラ６０に制御され、撮像した被写体の画像（動画及び静止画）を表示したり、外部に出力したりする。
【００２３】
スイッチ７５は、ユーザが被写体の撮像を指示するためのスイッチであって、被写体の動画の撮像を指示するための動画撮像スイッチ７５ａと、被写体の静止画の撮像を指示するための静止画撮像スイッチ７５ｂとを含む。
【００２４】
図２は、信号処理回路４０及びシステムコントローラ５０の構成を詳細に示すブロック図である。信号処理回路４０は、図２に示すように、ＡＦ評価値生成回路４０２を有する。また、システムコントローラ５０は、動画・静止画記録制御回路５０２と、レンズ制御回路５０４と、内部ＲＡＭ５０６と、内部ＲＯＭ５０８とを有する。なお、システムコントローラ５０は、マイクロコンピュータなどで構成してもよい。
【００２５】
ＡＦ評価値生成回路４０２は、ＣＤＳ・ＡＧＣ・Ａ／Ｄ回路３０を介して撮像素子２５から供給される画像信号に基づいて、レンズ１０の合焦状態に対応するＡＦ評価値を生成する。ＡＦ評価値生成回路４０２は、生成したＡＦ評価値（ＡＦ評価値データ）をレンズ制御回路５０４に供給する。
【００２６】
動画・静止画記録制御回路５０２は、信号処理回路４０を制御するための信号処理回路制御データ（例えば、信号処理回路４０に設定する画質のパラメータ）を供給する。また、動画・静止画記録制御回路５０２は、ＴＧ３５を制御して、被写体の動画及び／又は静止画を撮像する際の撮像素子２５などのタイミングを制御する。更に、動画・静止画記録制御回路５０２は、レンズ・アイリス駆動回路２０を制御するためのレンズ制御回路５０４を制御する。
【００２７】
レンズ制御回路５０４は、ＡＦ評価値生成回路４０２から供給されるＡＦ評価値に基づいて、被写体の動画撮像時のウォブリング動作におけるレンズ１０の位置やアイリス１５を制御する。なお、ここでいうウォブリング動作とは、合焦のズレ度が予め決められた範囲内になるようにレンズを動かす動作のことである。また、レンズ制御回路５０４は、ＡＦ評価値生成回路４０２から供給されるＡＦ評価値に基づいて、ＡＦ評価値が最大となるレンズ１０の位置を周期的に得て、後述する内部ＲＡＭ５０６に格納する。また、レンズ制御回路５０４は、後述するように、被写体の動画撮像中（即ち、ウォブリング動作中）に被写体の静止画を撮像する場合に、内部ＲＡＭ５０６に格納されたレンズ１０の合焦位置に基づいて、レンズ１０の位置を制御する。
【００２８】
内部ＲＡＭ５０６は、システムコントローラ５０のＲＡＭであり、レンズ１０の位置データ（レンズ位置データ）５０６ａを格納する。内部ＲＡＭ５０６は、本実施例では、被写体の動画撮像中（ウォブリング動作中）において、ＡＦ評価値生成回路４０２が生成するＡＦ評価値が最大となるレンズ１０の位置をレンズ位置データ５０６ａとして記憶する。
【００２９】
内部ＲＯＭ５０８は、システムコントローラ５０のＲＯＭであり、アイリス１５が制限する入射光の光量（即ち、開口径）などに基づいて、被写界深度を得るための被写界深度データ５０８ａを格納する。
【００３０】
ここで、図３を参照して、被写体の動画撮像中に被写体の静止画を撮像する場合の撮像装置１の動作について説明する。本実施例では、動画撮像スイッチ７５ａを介して被写体の動画撮像が指示され、レンズ制御回路５０４は、ＡＦ評価値生成回路４０２で生成されるＡＦ評価値に基づいたウォブリング動作を行っている場合を例に説明する。ここで、図３は、撮像装置１の動作の一例を説明するためのフローチャートである。
【００３１】
ステップＳ３０２において、ＡＦ評価値生成回路４０２が画像信号に基づいてＡＦ評価値を生成し、レンズ制御回路５０４がウォブリング動作中にＡＦ評価値が最大となるレンズ１０の位置をレンズ位置データ５０６ａとして内部ＲＡＭ５０６に格納する。
【００３２】
次に、ステップＳ３０４において、動画・静止画記録制御回路５０２は、静止画撮像スイッチ７５ｂを介して静止画撮像の指示がされたかどうかを判断する。静止画撮像の指示がされなければ、ステップＳ３０２に戻る。静止画撮像スイッチ７５ｂを介して静止画撮像の指示がされると、ステップＳ３０６に進み、レンズ制御回路５０４は、アイリス１５の開口径などに基づいて、被写界深度データ５０８ａから現在の被写界深度を算出する。また、被写界深度は、レンズ位置（もしくはこれに対応する被写体距離）、焦点距離などにも基づく。
【００３３】
次に、ステップＳ３０８において、レンズ制御回路５０４は、ステップＳ３０６で算出された現在の被写界深度が深いかどうか判断する。例えば、レンズ制御回路５０４は、ステップＳ３０６で算出された現在の被写界深度と予め設定された閾値とを比較し、現在の被写界深度が閾値以上である場合には、現在の被写界深度が深く、最適なフォーカスで静止画を撮像できると判断する。また、現在の被写界深度が閾値よりも小さい場合には、現在の被写界深度が浅く、最適なフォーカスで静止画を撮像することができないと判断する。
【００３４】
ステップＳ３０８において、現在の被写界深度が深いと判断された場合には、レンズ制御回路５０４がウォブリング動作によるレンズ１０の移動を停止し、ステップＳ３１６に進む。換言すれば、レンズ制御回路５０４は、内部ＲＡＭ５０６に格納されたレンズ１０の位置に基づくレンズ１０の制御を行わず、ウォブリング動作を停止させたレンズ位置で静止画の撮像を行う。ステップＳ３１６では、動画・静止画記録制御回路５０２がＴＧ３５及び信号処理回路４０を制御して、被写体の静止画を撮像する。被写体の静止画撮像が終了すると、レンズ制御回路５０４は被写体の動画撮像（ウォブリング動作）を再開する。
【００３５】
一方、ステップＳ３０８において、現在の被写界深度が浅いと判断された場合には、この時点では最適なフォーカスで静止画を撮像することができない可能性があるため、ステップＳ３１０に進む。ステップＳ３１０では、レンズ制御回路５０４が、内部ＲＡＭ５０６に格納されたＡＦ評価値が最大となったレンズ１０の位置とウォブリング動作中の現在のレンズ１０の位置とが一致しているかどうかを判断する。
【００３６】
ステップＳ３１０において、ＡＦ評価値が最大となったレンズ１０の位置と現在のレンズ１０の位置とが一致する場合には、ステップＳ３１６に進み、動画・静止画記録制御回路５０２がＴＧ３５及び信号処理回路４０を制御して、被写体の静止画を撮像する。
【００３７】
一方、ステップＳ３１０において、ＡＦ評価値が最大となったレンズ１０の位置と現在のレンズ１０の位置とが一致しない場合には、ステップＳ３１２に進む。ステップＳ３１２では、レンズ制御回路５０４は、内部ＲＡＭ５０６に格納されたレンズ１０の位置にレンズ１０を移動させる間のウォブリング動作中に、ＡＦ評価値が最大となるレンズ１０の位置があるかどうか判断する。
【００３８】
内部ＲＡＭ５０６に格納されたレンズ１０の位置にレンズ１０が移動する間に、ＡＦ評価値が最大となるレンズ１０の位置がある場合、かかるレンズ１０の位置は内部ＲＡＭ５０６に格納されたレンズ１０の位置よりもフォーカスの合った静止画を撮像できる。そこで、レンズ制御回路５０４は、内部ＲＡＭ５０６に格納されたレンズ１０の位置にレンズ１０が移動する間のＡＦ評価値が最大となるレンズ１０の位置でウォブリング動作によるレンズ１０の移動を停止し、ステップＳ３１６に進む。ステップＳ３１６では、上述したように、動画・静止画記録制御回路５０２がＴＧ３５及び信号処理回路４０を制御して、被写体の静止画を撮像する。
【００３９】
内部ＲＡＭ５０６に格納されたレンズ１０の位置にレンズ１０が移動する間に、ＡＦ評価値が最大となるレンズ１０の位置がない場合には、ステップＳ３１４において、レンズ制御回路５０４がウォブリング動作を維持し、ステップＳ３１０に戻る。
【００４０】
このように、撮像装置１は、ＡＦ評価値が最大となるレンズ１０の位置を内部ＲＡＭ５０６に格納し、被写体の動画撮像中に被写体の静止画を撮像する場合には、内部ＲＡＭ５０６に格納したレンズ１０の位置に基づいて、レンズ１０の位置を制御する。換言すれば、撮像装置１は、ＡＦ評価値が最大となるレンズ位置を記憶しておき、静止画の撮像が指示されると、図４に示すように、ウォブリング動作によってレンズ１０が内部ＲＡＭ５０６に格納したレンズ位置に移動した際に静止画を撮像する。これにより、静止画の撮像においては十分なフォーカス（最適なフォーカス）を得ることができないタイミングで静止画の撮像が指示されても、ＡＦ評価値が高いレンズ位置（つまり、適正な合焦範囲内）で静止画を撮像することができる。従って、撮像装置１は、動画撮像中に静止画撮像を行う場合でも、動画、静止画ともに適正な合焦精度で撮像を行うことができる。ここで、図４は、撮像装置１におけるウォブリング動作中の静止画の撮像を説明するための図であって、レンズ位置とＡＦ評価値との関係、及び、動画フレーム画像及び静止画の撮像タイミングを示している。
【００４１】
なお、撮像装置１は、被写体の動画撮像の際には撮像素子２５から加算読み出し又は間引き読み出しを行い、被写体の静止画撮像の際には撮像素子２５から非加算読み出し又は全画素読み出しを行ってもよい。特に、静止画の画素数と動画の画素数を変えて撮像することができる撮像装置の場合には、動画撮像の際には少ない画素数で画像を読み出しているため、静止画撮像の際には動画撮像の際よりも多い画素数で画像を読み出す必要がある。また、上述の記載では、静止画撮像の指示がされなければＡＦ評価値が最大となるレンズ位置を検出する動作を繰り返す構成とした。このとき、検出されたレンズ位置は、随時更新して最新（直前）のレンズ位置だけを内部ＲＡＭ５０６に格納してもよいし、検出されたレンズ位置を順次得て各々内部ＲＡＭ５０６に格納してもよい。
【００４２】
また、図５に示すように、被写体の位置が移動している場合、レンズ制御回路５０４が過去のレンズ１０の位置から被写体の位置を予測すると共に、予測された被写体の位置及び内部ＲＡＭ５０６に格納されたレンズ１０の位置に基づいて、静止画を撮像する。これにより、被写体の位置が移動している場合であっても、ＡＦ評価値が高いレンズ位置（つまり、適正な合焦範囲内）で静止画を撮像することができる。ここで、図５は、撮像装置１におけるウォブリング動作中の静止画の撮像を説明するための図であって、レンズ位置とＡＦ評価値との関係、及び、動画フレーム画像及び静止画の撮像タイミングを示している。
【００４３】
以下、図６を参照して、被写体の動作撮像中に被写体の静止画を撮像する場合の撮像装置１の別の動作について説明する。本実施例では、動画撮像スイッチ７５ａを介して被写体の動画撮像が指示され、レンズ制御回路５０４は、ＡＦ評価値生成回路４０２で生成されるＡＦ評価値に基づいたウォブリング動作を行っている場合を例に説明する。ここで、図６は、撮像装置１の動作の一例を説明するためのフローチャートである。
【００４４】
ステップＳ６０２において、ＡＦ評価値生成回路４０２が画像信号に基づいてＡＦ評価値を生成し、レンズ制御回路５０４がウォブリング動作においてＡＦ評価値が最大となるレンズ１０の位置をレンズ位置データ５０６ａとして内部ＲＡＭ５０６に格納する。
【００４５】
次に、ステップＳ６０４において、動画・静止画記録制御回路５０２は、静止画撮像スイッチ７５ｂを介して静止画撮像の指示がされたかどうかを判断する。静止画撮像の指示がされなければ、ステップＳ６０２に戻る。静止画撮像スイッチ７５ｂを介して静止画撮像の指示がされると、ステップＳ６０６に進み、レンズ制御回路５０４は、アイリス１５の開口径などに基づいて、被写界深度データ５０８ａから現在の被写界深度を算出する。
【００４６】
次に、ステップＳ６０８において、レンズ制御回路５０４は、ステップＳ６０６で算出された現在の被写界深度が深いかどうかを判断する。
【００４７】
ステップＳ６０８において、現在の被写界深度が深いと判断された場合には、レンズ制御回路５０４がウォブリング動作によるレンズ１０の移動を停止し、ステップＳ６１２に進む。ステップＳ６１２では、動画・静止画記録制御回路５０２がＴＧ３５及び信号処理回路４０を制御して、被写体の静止画を撮像する。被写体の静止画撮像が終了すると、レンズ制御回路５０４は被写体の動画撮像（ウォブリング動作）を再開する。
【００４８】
一方、ステップＳ６０８において、現在の被写界深度が浅いと判断された場合には、ステップＳ６１０に進む。ステップＳ６１０では、レンズ制御回路５０４が内部ＲＡＭ５０６に格納したレンズ位置データ５０６ａ（即ち、ＡＦ評価値が前回最大とったレンズ１０の位置）を読み出し、かかる位置にレンズ１０を移動させる。
【００４９】
ステップＳ６１０によってＡＦ評価値が最大となった位置にレンズ１０が移動したら、ステップＳ６１２に進み、動画・静止画記録制御回路５０２がＴＧ３５及び信号処理回路４０を制御して、被写体の静止画を撮像する。
【００５０】
このように、撮像装置１は、ＡＦ評価値が最大となるレンズ１０の位置を内部ＲＡＭ５０６に格納し、被写体の動画撮像中に被写体の静止画を撮像する場合には、直ちに内部ＲＡＭ５０６に格納したレンズ１０の位置にレンズ１０を移動させる。換言すれば、撮像装置１は、ＡＦ評価値が最大となるレンズ位置を記憶しておき、静止画の撮像が指示されると、図７に示すように、ウォブリング動作を中止し、記憶したレンズ位置にレンズ１０を移動させて静止画を撮像する。これにより、静止画の撮像においては十分なフォーカス（最適なフォーカス）を得ることができないタイミングで静止画の撮像が指示されても、ＡＦ評価値が高いレンズ位置（つまり、適正な合焦範囲内）で静止画を撮像することができる。また、ウォブリング動作にかかわらずＡＦ評価値が前回に最大となったレンズ１０の位置にレンズ１０を移動させるため、静止画撮像の指示から実際に静止画を撮像するまでの時間を短縮することができる。ここで、撮像装置１におけるウォブリング動作中の静止画の撮像を説明するための図であって、レンズ位置とＡＦ評価値との関係、及び、動画フレーム画像及び静止画の撮像タイミングを示している。
【００５１】
なお、上記実施例中では、被写体の動画を記録している際に被写体の静止画を記録する場合を例に取り上げて説明したが、これに限るものではない。例えば、被写体の動画を表示部（例えば、パネル・ビデオ出力回路７０）に表示中に被写体の静止画を撮像する場合に上記動作を適用してもよい。
【００５２】
以上、本発明の好ましい実施例について説明したが、本発明はこれらの実施例に限定されないことはいうまでもなく、その要旨の範囲内で種々の変形及び変更が可能である。
【図面の簡単な説明】
【００５３】
【図１】本発明の一側面としての撮像装置の構成を示す概略ブロック図である。
【図２】図１に示す撮像装置の信号処理回路及びシステムコントローラの構成を詳細に示すブロック図である。
【図３】図１に示す撮像装置の動作の一例を説明するためのフローチャートである。
【図４】図１に示す撮像装置におけるウォブリング動作中の静止画の撮像を説明するための図である。
【図５】図１に示す撮像装置におけるウォブリング動作中の静止画の撮像を説明するための図である。
【図６】図１に示す撮像装置の動作の一例を説明するためのフローチャートである。
【図７】図１に示す撮像装置におけるウォブリング動作中の静止画の撮像を説明するための図である。
【図８】従来の撮像装置におけるウォブリング動作を説明するための図である。
【図９】従来の撮像装置における静止画の撮像を説明するための図である。
【図１０】ウォブリング動作中における静止画の撮像の一例を説明するための図である。
【符号の説明】
【００５４】
１                          撮像装置
１０                        レンズ
１５                        アイリス
２０                        レンズ・アイリス駆動回路
２５                        撮像素子
３０                        ＣＤＳ・ＡＧＣ・Ａ／Ｄ回路
３５                        タイミング発生器（ＴＧ）
４０                        信号処理回路
４０２                      ＡＦ評価値生成回路
５０                        システムコントローラ
５０２                      動画・静止画記録制御回路
５０４                      レンズ制御回路
５０６                      内部ＲＡＭ
５０６ａ                    レンズ位置データ
５０８                      内部ＲＯＭ
５０８ａ                    被写界深度データ
６０                        画像入出力コントローラ
６５                        記憶媒体
６５ａ                      動画用記録媒体
６５ｂ                      静止画用記録媒体
７０                        パネル・ビデオ出力回路
７５                        スイッチ
７５ａ                      動画撮像スイッチ
７５ｂ                      静止画撮像スイッチ
【図１】
2008268745.tif 000003
【図２】
2008268745.tif 000004
【図３】
2008268745.tif 000005
【図４】
2008268745.tif 000006
【図５】
2008268745.tif 000007
【図６】
2008268745.tif 000008
【図７】
2008268745.tif 000009
【図８】
2008268745.tif 000010
【図９】
2008268745.tif 000011
【図１０】
2008268745.tif 000012